(57)【特許請求の範囲】
【請求項１】
デジタル通信ネットワークを通してユーザデータを送信する方法であって、ユーザデータが多重ユニットにパックされ、複数の多重ユニットが連続連結され、連続連結された多重ユニットが共通の転送モジュールで送信され、多重ユニットの連続連結が多重ユニットの仮想連結に変換され、
一部の多重ユニットにのみユーザデータが充填され、前記変換において、ユーザデータが充填されていない多重ユニットが除外されることを特徴とする方法。
【請求項２】
前記ユーザデータはインターネットプロトコルに従って構築されたデータパケットであり、前記データパケットの多重ユニットへの前記パックがＩＰルータ内で実行され、前記連続連結の前記仮想連結への前記変換が前記デジタル通信ネットワークの多重化装置内で実行され、前記ＩＰルータが連結された多重ユニットのどれにデータパケットが充填されているかを前記多重化装置に通知する、請求項１に記載の方法。
【請求項３】
前記ユーザデータは非同期転送モードのためのプロトコルに従って構築されたデータであり、前記多重ユニットへの前記データパケットの前記パックがＡＴＭスイッチ内で実行され、前記連続連結の前記仮想連結への前記変換がデジタル通信ネットワークの多重化装置内で実行され、ＡＴＭスイッチがどの連結された多重ユニットにデータパケットが充填されているかを前記多重化装置に通知する、請求項１に記載の方法。
【請求項４】
引き続き前記仮想連結を連続連結に変換し、以前除外された多重ユニットに対応する空の多重ユニットを追加する、請求項１に記載の方法。
【請求項５】
デジタル通信ネットワークのための多重化装置であって、
転送モジュールへと編成され送信すべきユーザデータを伝送する連続連結された複数の多重ユニットを含む第１のメッセージ信号を受信する第１のインタフェースと、
前記多重ユニットの前記連続連結を仮想連結に変換する変換機構と、
転送モジュールへと編成され、仮想連結された複数の多重ユニットのうちのいずれかを含む少なくとも１つの第２のメッセージ信号を送信する少なくとも１つの第２のインタフェースとを含み、
連続連結された一部の多重ユニットにのみユーザデータが充填される場合、変換機構は、連続連結を仮想連結に変換する際に、ユーザデータが充填されていない多重ユニットを除外することを特徴とする多重化装置。
【請求項６】
デジタル通信ネットワークを通してユーザデータを送信する周辺装置であって、転送モジュールへと編成され送信すべきユーザデータを伝送する連続連結された複数の多重ユニットを含むメッセージ信号を生成する信号生成ユニットと、ユーザデータを多重ユニットにパックする多重化機構とを含み、前記多重化機構が一部の多重ユニットにのみユーザデータを充填することを特徴とする周辺装置。
【発明の詳細な説明】
【０００１】
【発明の属する技術分野】
本発明は請求項１のプリアンブルに記載のデジタル通信ネットワークを通してユーザデータを送信する方法、請求項５のプリアンブルに記載のデジタル通信ネットワークのための多重化装置、および請求項６のプリアンブルに記載の周辺装置に関する。
【０００２】
【従来の技術】
ＳＤＨまたはＳＯＮＥＴの如き同期デジタル通信ネットワークでは、多重ユニットのペイロードとしてメッセージが送信される。当該多重ユニットはＳＤＨシステムでは仮想コンテナと呼ばれ、ＳＯＮＥＴでは仮想トリビュタリと呼ばれる。多重ユニットは、これらを自由に配置することができる同期転送モジュールＳＴＭ−Ｎ（Ｎ＝１、４、１６、６４）で送信される。ＳＤＨでは、最大の多重ユニットはペイロード容量が１４９．７６０Ｍｂの仮想コンテナＶＣ−４である。ＶＣ−４は、コンテナの始まりを示す転送モジュールＳＴＭ−１のオーバーヘッド内のポインタとともに、ＡＵ−４（管理ユニット）と呼ばれる。ＳＯＮＥＴでは、最大の多重ユニットは容量が４８．３８４Ｍｂで、対応するポインタとともにＡＵ−３と呼ばれる。ビットレートが最大の多重ユニットよりも大きいペイロード信号を送信する場合は、多重ユニットの連結（Ｃｏｎｃａｔｅｎａｔｉｏｎ）が形成される。
【０００３】
ＩＴＵ−Ｔ  Ｇ．７０７第８．１．７章には、別法として利用することが可能な２つの連結方法、すなわち「連続連結」または「連続的なＡＵ−４の連結」（第８．１．７．１章）、および「仮想連結」（第８．１．７．２章）が記載されている。連続連結方法では、連続する多重ユニットが連結されてより大きな転送モジュールで一緒に送信され、例えば単一のＳＴＭ−４で４つのＡＵ−４が、単一のＳＴＭ−１６で１６のＡＵ−４が、単一のＳＴＭ−１で３つのＡＵ−３が、または単一のＳＴＭ−４で１２のＡＵ−３が送信される。連結された多重ユニットにアクセスするときは、連結の第１の多重ユニットに対するポインタだけを評価し、連結のそれに続く全ての多重ユニットについてもこのポインタ値を使用する。仮想連結方法では、個々の多重ユニットがその他の多重ユニットから独立して転送され、データシンク、すなわち宛先のネットワークエレメントにおいて結合される。個々の多重ユニットはさらに異なる経路で送信され、データシンクにおいて遅延較差を示すことがあり、それらをバッファリングによって補なわなければならない。通常は、類似の多重ユニット、すなわち同じサイズの多重ユニットが連結される。
【０００４】
一方、基幹ネットワークとして同期デジタル通信ネットワークを使用する周辺装置、例えばＩＰルータでは、操作が容易であるという理由から連続連結が好ましく、ネットワークの観点からは、柔軟性に優れるという理由から仮想連結が好ましい。
【０００５】
連続連結から仮想連結への変換は秒毎に把握される。個々の多重ユニットそれぞれに独自のポインタが提供される。多重ユニットのオーバヘッド内のインディケータが連結を示す。インディケータについては、Ｈ４バイトのビット１およびビット２が現在使用されており、他のオーバヘッドバイトの使用も考えられる。次いで、仮想連結された多重ユニットを別々の転送モジュールで転送することができる。
【０００６】
上述したように、ＩＰルータの如き周辺装置は、連続連結を使用するのが好ましい。ＵＲＬ「ｈｔｔｐ：／／ｗｗｗ．ｃｉｓｃｏ．ｃｏｍ／ｕｎｉｖｅｒｃｄ／ｃｃ／ｔｄ／ｄｏｃ／ｐｒｏｄｕｃｔ／ｃｏｒｅ／ｃｉｓ１２００８／ｍｆｒｉｃｇ／ｐｒｏｄｕｃｔ１．ｈｔｍ」でインターネットにより検索可能なシスコ（Ｃｉｓｃｏ）１２００８ギガビットスイッチルータに関する記事には、このデバイスにＯＣ−３ｃ／ＳＴＭ−１ｃインタフェースまたはＯＣ−１２ｃ／ＳＴＭ−４ｃインタフェースを装備することが可能であると記載されている。どちらのインターフェースタイプも多重ユニットの連続連結を利用する。連続連結された多重ユニットの数はルータのインタフェースタイプに左右されるため、実際にＩＰペイロードに使用される帯域幅にかかわらず、常に同じ数の多重ユニットが送信される。
【０００７】
【発明が解決しようとする課題】
本発明の目的は、同期デジタル通信ネットワークを通してユーザデータを送信する方法であって、連結された多重ユニットの数を実際に必要とされる帯域幅に適合させることが可能な方法を提供することである。本発明のさらなる目的は、同期デジタル通信ネットワークのための多重化装置、および本発明による方法を実行するのに適した周辺装置を提供することである。
【０００８】
【課題を解決するための手段】
これらの目的は、それぞれ請求項１、５および６に記載の特徴によって達成される。本発明のさらなる拡張については従属請求項を読めば明かである。
【０００９】
【発明の実施の形態】
本発明は、添付の図面と結び付けられた、実施形態についての以下の説明を参照することによって、より明らかになるであろう。
【００１０】
本発明の基本概念は、周辺装置内で多重ユニットの連続連結を生成するが、連結された多重ユニットのうちの一部だけをペイロードに使用し、残りの多重ユニットをフリーにしておくか、または塗りつぶしパターンを充填することである。本発明の他の基本概念は、多重化装置が同期デジタル通信ネットワークとのインタフェースにおいて連続連結から仮想連結への変換を実行し、この工程においてペイロードが充填されていない多重ユニットを除外することにより、連結された多重ユニットの数を実際に必要とされる帯域幅に適合させることにある。
【００１１】
本発明による送信方法を説明する上で、分かり易いように一方向の送信のみを考察する。しかし、送信は双方向であってもよいことを理解すべきである。
【００１２】
図１は、ペイロードがどのようにして第１の周辺装置１０から同期デジタル通信ネットワークＳＤＨを介して第２の周辺装置１６へと送信されるかを示している。周辺装置はＩＰルータであり、ペイロードはインターネットプロトコルに従って構築されたデータパケットから構成されている。第１のＩＰルータ１０において、同期メッセージ信号１１が生成される。これはＳＴＭ−４タイプのフレーム化された多重信号である。ＳＴＭ−４フレームは４バイトインタリーブドＳＴＭ−１転送モジュールから構成されている。４つのＳＴＭ−１フレームの各々が一つの多重ユニットＶＣ−４を含んでいる。４つのＶＣ−４多重ユニットは連続連結されている。これは、ＩＰルータによって送出すべきＩＰパケットが充填され４×１４９Ｍｂ＝５９６Ｍｂの最大ペイロードを与える。多重ユニットにＩＰパケットをパックするのに、例えばＩＥＴＦ（インターネットエンジニアリングタスクフォース：Ｉｎｔｅｒｎｅｔ  Ｅｎｇｉｎｅｅｒｉｎｇ  Ｔａｓｋ  Ｆｏｒｃｅ）によって定められたポイントツーポイントプロトコル（ＰＰＰ）を利用することが可能である。記載の連結方法をＶＣ−４−４ｃと呼ぶ。ＩＰルータ１０、１６はデータネットワークの一部を形成し、基幹ネットワークとして同期デジタル通信ネットワークＳＤＨを使用する。
【００１３】
第１のＩＰルータ１０から同期信号通信ネットワークＳＤＨの多重化装置１２に同期メッセージ信号１１が転送される。多重化装置１２は、同期通信ネットワークＳＤＨ１からデータネットワークへのゲートウェイを提供する。それは、４つのＶＣ−４多重ユニットのシームレスな連結を仮想連結に変換する。これを成し遂げるためには、上述のように、４つの多重ユニットの各々に独自のポインタを提供し、連結を示すインディケータを多重ユニットのオーバヘッドに挿入する。次に、仮想連結された４つのＶＣ−４多重ユニットを、より小さな別々の転送モジュールまたはより大きな共通の転送モジュールで、互いに独立させながら通信ネットワークＳＤＨを介して送信することができる。本実施形態では、４つの連結された多重ユニットがそれぞれ別々の経路１３ａ〜ｄを介して送信されることが示されている。仮想連結はＶＣ−４−４ｖと呼ばれる。
【００１４】
仮想連結された多重ユニットは、通信ネットワークＳＤＨを介してデータシンク、すなわち第２の多重化装置１４に送信される。後者は逆に仮想連結を連続連結に変換し、シームレスに連結された４つの多重ユニットを、ＳＴＭ−４フレームに編成されたメッセージ信号１５で、第２のＩＰルータ１６に転送する。
【００１５】
多重化装置はアッド・ドロップ多重化装置、あるいは受信されフレーム化された多重信号に含まれる個々のまたは全ての経路の末端を成す端末多重化装置であってもよい。
【００１６】
データネットワーク内のトラフィック負荷が大きい期間中は、全ての多重ユニットがＩＰパケットで満たされており、基幹ネットワークとして働いている同期デジタル通信ネットワークを介しての上述のデータ送信が迅速かつ効率的に実施される。しかし、パケット送信時は、送信すべきＩＰパケットの数が十分でなく４つの多重ユニット全てを満たすことができない延滞期間も存在する。したがって、本発明によれば、一部の多重ユニットのみをＩＰルータ１０で、データパケットの転送に使用して、他の多重ユニットを空のままにしておくか、またはそれらに塗りつぶしパターンを充填する。
【００１７】
この状況が図２に示されている。ＩＰルータ１０は、４つの連結された多重ユニットＶＣ−４−４ｃのうちの３つの多重ユニットのみにデータパケットをパックする。第４の多重ユニットは空の状態に保たれる。しかし、ＩＰルータ１０によって多重化装置１２に送信されるメッセージ信号１１はまだ同じ構造、すなわち連続連結された４つの多重ユニットＶＣ−４−４ｃを伴うＳＴＭ−４フレームを有している。多重化装置１２において、連続連結が仮想連結に変換され、第４の多重ユニット、すなわちデータパケットがパックされていないユニットが除外される。このように３つの多重ユニットＶＣ−４−３ｖの仮想連結が取得され、経路１３ａ−ｃを経て第２の多重化装置１４に送信される。そこで、その仮想連結が連続連結に逆変換され、それが空の多重ユニットによってＶＣ−４−４ｃへと保管され、第２のＩＰルータ１６に転送される。
【００１８】
ＳＴＭ−４フレームは４つのバイトインターリーブＳＴＭ−１フレームから構成されているため、ＩＰルータが１つの多重ユニットをフリーの状態に維持するのは非常に簡単なことである。すなわち、３バイト後ごとにダミーバイト（例えば１６進の００）を挿入するだけでよい。４つの多重ユニットの連続連結を３つの多重ユニットの仮想連結に変換するために、多重化装置は４つの多重ユニットの１つが除外されるという情報、およびそれらのうちのどのユニットが除外されるかという情報を必要とする。一実施形態では、この情報は、ＩＰルータにより、多重ユニットのオーバヘッド内の専用制御チャネルを経て、または転送モジュール、またはより高レベルのネットワーク管理システムを介して供給される。他の実施形態では、多重化装置は、例えば塗りつぶしパターンまたはＩＰヘッダの不在によって、多重ユニットのいずれか１つにＩＰパケットがパックされていないことを自動的に検出し、次いで変換においてこの空の多重ユニットが除外される。この自動検出は、多重化装置内のペイロードを監視すること、またはＩＰルータへ未使用の多重ユニットのオーバヘッドにラベル表示するよう設定することによって実行することができる。
【００１９】
ポイントツーポイントプロトコル（ＰＰＰ、ＩＥＴＦ）の変形または類似の変形変数を使用する場合は、ＩＰパケットはＨＤＬＣフレームへとフレーム化されることになる。ＨＤＬＣフレーム間のバイトは塗りつぶしパターンである。
【００２０】
図３は、ＩＰパケットの転送に４つの多重ユニットのうちの２つだけが使用される状況、そして多重化装置が仮想連結への変換時に未使用の２つの多重ユニットを除外し、通信ネットワークＳＤＨを介して、本来は４つの多重ユニットのうちの２つだけを送信する状況を示したものである。この連結をＶＣ−４−２ｖと呼ぶ。同様に、３つの空の多重ユニットを除外することによって連続連結を単一の多重ユニットに変換することも可能である。
【００２１】
本発明は仮想コンテナＶＣ−４の連結に制限されるものではない。例えば、ペイロードが２ＭｂのＶＣ−１２を使用することも可能である。本発明は、コンテナＶＣ−３またはＶＣ−１１（ＶＴ−１．５）を伴うＳＯＮＥＴシステムにも利用することができる。コンテナが例えば８、１６または６４のより大規模な連結も可能である。
【００２２】
例えば、特定の時間帯では全ての多重ユニットの全帯域幅を利用することができ、他の時間帯では縮小された帯域幅しか利用できないといったように、仮想連結されたより少数の多重ユニットへの変換をあらかじめ定めることも可能である。例えば、午前８時から午前１０時までと午後４時から午後６時までは３つのＶＣ−４による連結を選択でき、午前１０時から午後４時までの最繁時には４つ全てのＶＣ−４による仮想連結を選択することができ、午後６時から午前８時までのトラフィックが小さい時間帯には１つまたは２つだけのＶＣ−４による仮想連結を選択することができる。このように、実際に送信されるペイロードをデータネットワークの統計的利用に適応させることができる。あるいは、トラフィックの測定値に従って約１０分ごとに動的に適合させることが可能である。デフォルト値が使用される場合は、データパケットに現在使用されている多重ユニットに関する情報をＩＰルータから多重化装置に転送する必要はない。
【００２３】
データネットワークの運用者は、彼が基幹ネットワークとして使用する同期通信ネットワークの運用者に対して実際に送信された多重ユニットについての料金を支払えばよいだけであるから、これはデータネットワークの運用者に大きな利益をもたらすことになる。
【００２４】
本発明による方法についての他の好ましい応用形態としては、非同期伝送モード（ＡＴＭ）のためのプロトコルに従って構築されたデータパケットの送信が挙げられる。この場合の周辺装置はＡＴＭセルから構成されるペイロードを連続連結された多重ユニットにパックし、ユニットを同期通信ネットワークの多重化装置に転送するＡＴＭスイッチである。
【００２５】
本発明による方法についてのさらなる好ましい応用形態としては、イーサネットプロトコルに従って構築されたデータパケットの送信が挙げられる。イーサネットフレームはＨＤＬＣフレームにフレーム化され、連結されたＳＤＨコンテナで透過的に転送される。ＨＤＬＣフレーム間に塗りつぶしパターンが挿入され、連結されたコンテナの数を減らすために本発明に従って圧縮時に除去される。
【００２６】
これまでは一方向の送信のみについて考察した。しかし、双方向送信の場合は、さらに有益な応用分野がもたらされる。従来的な電話の場合は、両方向（「上り」および「下り」）の送信速度が同じでなければならない。しかし、データ送信時は事情が異なる。例えば、ＡＤＳＬ（非対称デジタル加入者回線）のような将来的なデータネットワークでは、トラフィックは著しく非対称的である。したがって、一方向の送信において本発明の圧縮を有効に利用し、もう１つの方向において連結されたすべての多重ユニットの全容量を利用することが可能である。ここでは、概して、周辺装置の物理的インタフェースによって両方向に同じ帯域幅が提供されるため、本発明による圧縮は特に有益である。したがって、そのような対照的なインタフェースが存在する場合であっても、非対称的なトラフィックボリュームに送信容量を適合させることが可能である。
【００２７】
実施形態のＩＰルータ４０が概略構成図の図４に示されている。ＩＰルータ４０は、イーサネットのためのＩＥＥＥ規格８０２．３に従って衝突検出付き非同期送信方法を使用するいくつかのＬＡＮインタフェース４５（ＬＡＮ＝ローカルエリアネットワーク）を有している。ＬＡＮインタフェースの各々にローカルエリアネットワークが接続され、ＩＰルータ４０は、インターネットプロトコルに従って構築されたデータパケットＩＰを受信する。それらのパケットはＬＡＮインタフェースからＩＰマトリックス４１へと導かれる。後者は各パケットの行き先アドレスに基づいてパケットの送信先を判断する。ＩＰルータに接続された他のローカルエリアネットワークに向かうパケットは対応するＬＡＮインタフェースに送られる。他のパケット、すなわちＬＡＮインタフェースに接続されたどのローカルエリアネットワークにも向かわないパケットは、ＩＰマトリックス４１を介して処理ユニット４２のほうへと切り換えられる。そこで、４つのＶＣ−４多重ユニットが形成され、それらにパケットがパックされる。パケットがパックされた多重ユニットは、ＳＴＭ−４転送モジュールのための処理ユニット４３へと導かれ、そこで４つの多重ユニットが連続連結されてバイトインターリーブされ、フレーム多重信号ＳＴＭ−４、ＶＣ−４−４Ｃを形成し、次いでそれが同期メッセージ信号としてインタフェースＩ／Ｏ４４に送られる。ＳＴＭ−４処理ユニットでは、第１の多重ユニットの開始を示すポインタが決定されて転送モジュールのオーバヘッドに書き込まれる。インタフェース４４は光学式インタフェースである。
【００２８】
ＩＰルータ４０は、ＩＰマトリックス４１およびＶＣ−４多重ユニットのための処理装置４２に接続されるコントローラ４６をさらに含む。ＩＰマトリックス４１は現行のトラフィックボリュームを測定し、その測定値をコントローラ４６に送る。次いで、後者は、トラフィックボリュームまたは所定のタイムスケジュールに基づいて、４つの多重ユニットの中でデータパケットがパックされるユニットの数を定期的に決定し、これをＶＣ−４処理ユニット４２に通知する。したがって、処理ユニット４２では選択された多重ユニットだけにパックされ、他の多重ユニットには塗りつぶしパターンが充填される。処理ユニット４２において、パックされていない多重ユニットにはそのオーバヘッドにラベル表示される。このために、商用目的で確保しておいたオーバヘッドバイトの１つを使用することができる。
【００２９】
連続連結された４つの多重ユニットのうちの２つまたは３つの多重ユニットのみにユーザデータが充填されるように、ＩＰルータを構成することもできる。その場合、コントローラ４６は不要である。次いで、所定の多重ユニットだけにＩＰパケットがパックされ、他の多重ユニットは空の状態に保たれるよう処理ユニット４２が調節される。
【００３０】
それらのＩＰパケットだけがマトリックスからＶＣ−４処理ユニットに導かれ、同期デジタル通信ネットワークを通して、ＩＰルータのＬＡＮインタフェースに直接接続されていない他のローカルエリアネットワークに転送されるため、この例からＩＰマトリックス４１がフィルタ機能を行うことは明かである。ＩＰマトリックス４１は、同期デジタル通信ネットワークを通して配信することができないパケットを除去することによって、または当該パケットを対応するエラーメッセージとともに送信側に戻すことによって、さらなるフィルタ機能を行うこともできる。当該フィルタ機能は、ＩＰマトリックスのルーティングテーブル内の該当項目を介して実行することも可能である。これによって、存在しないＩＰアドレス、または構成エラーにより間違いとされるＩＰアドレスを濾し取ることが可能になる。さらに、このようにしてファイアーウオールに類似した保護機能を実現することが可能である。
【００３１】
図５には、同期メッセージ信号を受信し、連続連結を仮想連結に変換し、同期通信システムを介して多重ユニットを送信する多重化装置５０が概略的に示されている。多重化装置５０は、第１のインタフェース入出力５１において、周辺装置から同期メッセージ信号を受信する。ＳＴＭ−４転送モジュールのための第１の処理ユニット５２において、バイトインターリーブが解消され、第１の多重ユニットに対するポインタが評価される。そのポインタ値に従って、４つの連結された多重ユニットが読み込まれて、ＶＣ−４多重ユニットのための第１の処理ユニット５３に転送され、そこで個々の多重ユニットのオーバヘッドが評価される。それぞれの多重ユニットにユーザデータが充填されていないことを示すインディケータが検出され、それぞれの多重ユニットが除去される。これに関する情報はまたコントローラ５５に転送される。他の多重ユニットは緩衝装置５４に記憶され、そこからＶＣ−４多重ユニットのための第２の処理ユニット５６によって読み取られる。コントローラは、どの多重ユニットをいくつ仮想的に連結すべきかを第２のＶＣ−４処理ユニット５６に通知する。多重ユニットのオーバヘッド内の該当するインディケータによって仮想連結が開始される。このために、Ｈ４のバイトが現在使用されている。
【００３２】
次いで、連結された多重ユニットは、ＳＴＭ−４転送モジュールのための第２の処理ユニット５７に転送され、そこで別々のＳＴＭ−１フレームにパックされる。ＳＴＭ−１フレームはバイトインタリーブされてＳＴＭ−４転送モジュールから構成される同期メッセージ信号を形成し、次いでそれが第２のインタフェース入出力５８を介して同期デジタル通信ネットワークへと送られる。また、第２のＳＴＭ−４処理ユニット５６は、それぞれの多重ユニットの開始を示し、それぞれのＳＴＭ−１転送モジュールのオーバヘッドに挿入される、各々の多重ユニットに対するポインタを決定する。
【００３３】
実施形態では、多重化装置の入力信号は、４つのＶＣ−４多重ユニットの連続連結ＶＣ−４−４ｃを含む。しかし、４つの多重ユニットの１つは、例えばユーザデータの転送に使用されず、オーバヘッド内でそのように識別される。第１のＶＣ−４処理ユニットにおいてこの多重ユニットが除去される。コントローラを介して、他の３つの多重ユニットが仮想連結されるという情報が、連結を実行する第２のＶＣ−４処理ユニットに送られる。このように、３つのＶＣ−４多重ユニットの仮想連結ＶＣ−４−３ｖを含む出力信号が形成される。残りの送信容量を追加的なトラフィック、例えば一束の電話接続に使用することが可能である。有利にも、多重化装置は、ネットワーク管理システムを介してフリーの送信容量が他の目的のために割り当てられるように、仮想連結に含まれる多重ユニットの数をネットワーク管理システムに通知する。
【００３４】
オーバヘッドにおいて連続連結の未使用の多重ユニットを識別する代わりに、どの連結された多重ユニットがユーザデータの転送に使用されるかに関する情報を周辺装置からネットワーク管理システムを介して多重化装置に転送することも可能である。あるいは、多重化装置において各多重ユニットに含まれるペイロードの評価を行い、どの多重ユニットにユーザパケットがパックされどの多重ユニットが未使用であるかを決定する。
【００３５】
多重化装置は端末多重化装置、アッド・ドロップ多重化装置、またはデジタルクロスコネクトであってもよい。多重化装置は、多重ユニットのための時間および空間分割切換マトリックスの如きさらなるモジュール、ならびに通信ネットワークとのさらなるインタフェースを含むこともできる。その場合、仮想連結の個々の多重ユニットを異なるインタフェースおよび異なる経路を介して宛先ネットワークエレメントに送信することが可能である。ＶＣ−４多重ユニットの代わりに、ＶＣ−１２またはＶＣ３のような通信システムの多重化階層からの他の、より小さなサブユニットを使用することができる。
【００３６】
代替的な周辺装置としてはＡＴＭスイッチが挙げられる。当該スイッチは設計において図４のＩＰルータと類似しているが、ＬＡＮインタフェースの代わりにＡＴＭインタフェースを有し、ＩＰマトリックスの代わりにＡＴＭセルのためのスイッチングマトリックスを有している。
【図面の簡単な説明】
【図１】同期デジタル通信ネットワークに接続され、連続連結された多重ユニットを有する同期メッセージ信号を生成するＩＰルータであって、通信ネットワークの多重化装置において連続連結が仮想連結に変換されるＩＰルータを示す図である。
【図２】同期デジタル通信ネットワークに接続され、連続連結された多重ユニットを有する同期メッセージ信号を生成するＩＰルータであって、通信ネットワークの多重化装置において連続連結が仮想連結に変換されるＩＰルータを示す図である。
【図３】同期デジタル通信ネットワークに接続され、連続連結された多重ユニットを有する同期メッセージ信号を生成するＩＰルータであって、通信ネットワークの多重化装置において連続連結が仮想連結に変換されるＩＰルータを示す図である。
【図４】同期通信ネットワークの周辺装置としてのＩＰルータの構成図である。
【図５】変換を実行する多重化装置の構成図である。
【符号の説明】
１０、１６、４０  ＩＰルータ
１１、１５  同期メッセージ信号
１２、１４、５０  多重化装置
４１  ＩＰマトリックス
４２、５３、５６  ＶＣ−４処理ユニット
４３、５２、５７  ＳＴＭ−４処理ユニット
４４、５１、５８  入出力
４６、５５  コントローラ
５４  緩衝装置
【図１】
0004423759.tif 000002
【図２】
0004423759.tif 000003
【図３】
0004423759.tif 000004
【図４】
0004423759.tif 000005
【図５】
0004423759.tif 000006